(57)【特許請求の範囲】
【請求項１】
ハンドルの一部に配され、掌の汗蒸気を取り込む汗蒸気導入口と、
前記汗蒸気導入口に配した透湿膜と、
前記透湿膜の表面に設けた一対の接触検出電極と、
前記汗蒸気導入口に吸気側を接続したポンプと、
前記汗蒸気導入口の奥部、または前記ポンプの排気側に設けたアルコールセンサと、
前記接触検出電極、ポンプ、およびアルコールセンサが接続された制御回路とからなり、
前記制御回路は、前記接触検出電極間の抵抗値が既定抵抗値の範囲内である時に前記掌が前記汗蒸気導入口に接触していると判断し、
この状態で、前記ポンプで吸引した前記汗蒸気に対する前記アルコールセンサの出力が飲酒規制値以上であれば、運転者が飲酒していると判断するようにした飲酒検出装置。
【請求項２】
一対の前記接触検出電極は互いに入り組んだ形状を有する請求項１に記載の飲酒検出装置。
【請求項３】
前記アルコールセンサはマイクロヒータ上に設けた薄膜の半導体素子からなる請求項１に記載の飲酒検出装置。
【請求項４】
前記制御回路は前記マイクロヒータにパルス電流を流すことによりアルコール濃度を検出するようにした請求項３に記載の飲酒検出装置。
【請求項５】
前記制御回路は前記アルコール濃度を検出する前にも前記パルス電流を流すようにした請求項４に記載の飲酒検出装置。
【請求項６】
前記アルコールセンサは前記半導体素子を複数有する構成とした請求項３に記載の飲酒検出装置。
【請求項７】
前記制御回路は前記アルコール濃度の検出毎に複数の前記半導体素子を順次切り替えるようにした請求項６に記載の飲酒検出装置。
【請求項８】
前記汗蒸気導入口を複数設けるとともに、隣り合う前記汗蒸気導入口の間で前記ハンドルの内部に隔壁を設け、複数の前記汗蒸気導入口のそれぞれの奥部に前記アルコールセンサを設け、複数の前記汗蒸気導入口のそれぞれに前記ポンプの吸気側を接続した構成を有し、
前記制御回路は、前記接触検出電極間の抵抗値が前記既定抵抗値の範囲内にある前記汗蒸気導入口の奥部に設けた前記アルコールセンサの出力のみを検出するようにした請求項１に記載の飲酒検出装置。
【請求項９】
前記汗蒸気導入口を複数設けるとともに、隣り合う前記汗蒸気導入口の間で前記ハンドルの内部に隔壁を設け、複数の前記汗蒸気導入口のそれぞれに複数の前記ポンプを接続し、複数の前記ポンプの排気側の集約部分に前記アルコールセンサを設けた構成を有し、
前記制御回路は、前記接触検出電極間の抵抗値が前記既定抵抗値の範囲内にある前記汗蒸気導入口に接続された前記ポンプのみを動作させるようにした請求項１に記載の飲酒検出装置。
【請求項１０】
前記アルコールセンサは、前記ハンドルに内蔵した赤外線光源と赤外線センサから構成され、前記赤外線光源から発生した赤外線は前記ハンドルの円周方向に沿って内蔵した光路内で反射を繰り返し、前記赤外線センサに至るように前記赤外線光源と前記赤外線センサを配置するとともに、前記光路を含む前記ハンドルの表面に前記汗蒸気導入口を設け、前記ポンプは前記光路に接続された請求項１に記載の飲酒検出装置。
【請求項１１】
前記汗蒸気導入口を前記ハンドルの左右２ヶ所に設け、２つの前記汗蒸気導入口の一方の奥部に前記赤外線光源を、他方の奥部に前記赤外線センサを配置した請求項１０に記載の飲酒検出装置。
【請求項１２】
前記汗蒸気導入口と前記ポンプの間に、前記制御回路に接続された圧力センサを設け、
前記制御回路は前記ポンプの動作中における前記圧力センサの圧力出力が既定圧力以下である時に、前記透湿膜が閉塞していると判断するようにした請求項１に記載の飲酒検出装置。
【請求項１３】
前記制御回路は、車両の開錠、または施錠の少なくともいずれかが行われた時に前記ポンプを動作させ、その時の前記アルコールセンサの出力をアルコール非検出値とするようにした請求項１に記載の飲酒検出装置。
【請求項１４】
運転席のダッシュボードに運転者の視線検出手段を設けるとともに、前記視線検出手段は前記制御回路に接続される構成を有し、
前記制御回路は前記視線検出手段より視線移動特性を検出し、前記視線移動特性より前記運転者の疲労度を計算し、前記疲労度が既定値以上であり、かつ前記アルコールセンサの出力が前記飲酒規制値以上であれば、前記運転者が強度の飲酒状態であると判断するようにした請求項１に記載の飲酒検出装置。
【請求項１５】
前記視線検出手段に替わって、前記運転席に重量センサを設け、前記制御回路は前記重量センサより重量変化特性を検出し、前記重量変化特性より前記疲労度を計算するようにした請求項１４に記載の飲酒検出装置。
【請求項１６】
前記疲労度はリアプノフ指数を計算することで求めるようにした請求項１４に記載の飲酒検出装置。
【発明の詳細な説明】
【技術分野】
【０００１】
本発明は主に運転者の飲酒状態を検出する車両用の飲酒検出装置に関するものである。
【背景技術】
【０００２】
近年、飲酒運転による事故を低減するために、運転者の飲酒状態を検出する飲酒検出装置が開発されている。また、この飲酒検出装置の出力によって、自動車（以下、車両という）の起動や動作を制御するシステムも各種検討されている。
【０００３】
このような飲酒検出装置としては、呼気中のアルコール濃度をアルコールセンサで検出するものが一般的である。これは、飲酒により増大した血中アルコール濃度が呼気中のアルコール濃度と比例関係にあることを利用したもので、飲酒運転取り締まり時の飲酒状態検出にも用いられている。しかし、この方法で運転者の飲酒を検出すると、非飲酒の他人による呼気や、風船に詰めた非飲酒時の呼気を飲酒検出装置に吹き込むという不正を排除できない可能性がある。さらに、飲酒検出装置を車内に設置した場合は、同乗者の呼気中アルコールや、芳香剤中のアルコール等によって運転者の飲酒を誤検出する可能性もある。
【０００４】
これに対し、呼気中アルコール濃度と同様に、血中アルコール濃度と比例関係にある汗中アルコール濃度を検出する飲酒検出装置が下記特許文献１に提案されている。図９はこのような飲酒検出装置の概略構成図である。
【０００５】
図９において、車両の運転席に配置されるハンドル１０１と変速ギア１０３には、それぞれ掌が接触する部分にアルコールを検出するセンサ素子１０５が設けられている。センサ素子１０５は一対の電極と、それらを覆うアルコール感応膜からなり、アルコール成分の感応膜への付着により抵抗値が変化するものである。従って、掌から発生した汗の蒸気がセンサ素子１０５に至ることにより汗中アルコール濃度を検出することができる。これらのセンサ素子１０５から得られた出力信号はアルコール濃度測定部１０７に伝達され、アルコール濃度が求められる。アルコール濃度測定部１０７で求めたアルコール濃度出力は飲酒運転判定部１０９に伝達され、ここで運転者の飲酒状態が判定される。判定結果は後段処理部１１１に伝達され、もし運転者が飲酒状態であれば、飲酒運転の抑制、警告、防止、制御等の後段処理が行われる。具体的には、車両が起動できないようにロックしたり、走行中であれば速度を抑制する制御を行う。
【０００６】
このように、運転者が操作するハンドルや変速ギアにセンサ素子１０５を設けたので、運転者の汗中アルコール濃度を検出することができる。従って、呼気によるアルコール検出に比べ不正や誤検出の可能性が低減される。
【特許文献１】特開２００５−２２４３１９号公報
【発明の開示】
【発明が解決しようとする課題】
【０００７】
このような飲酒検出装置は確かに呼気中アルコール濃度検出に比べ高精度に運転者の飲酒を検出できるのであるが、掌の汗蒸気が拡散によってのみセンサ素子１０５に至る構成であるので、アルコール濃度の検出が完了するまでハンドル１０１のセンサ素子１０５が配された部分に掌を保持しておく必要があり、高精度な飲酒状態の判定に時間がかかるという課題があった。
【０００８】
本発明は、前記従来の課題を解決するもので、高速に汗蒸気中のアルコール濃度検出が可能な高精度飲酒検出装置を提供することを目的とする。
【課題を解決するための手段】
【０００９】
前記従来の課題を解決するために、本発明の飲酒検出装置は、ハンドルの一部に配され、掌の汗蒸気を取り込む汗蒸気導入口と、前記汗蒸気導入口に配した透湿膜と、前記透湿膜の表面に設けた一対の接触検出電極と、前記汗蒸気導入口に吸気側を接続したポンプと、前記汗蒸気導入口の奥部、または前記ポンプの排気側に設けたアルコールセンサと、前記接触検出電極、ポンプ、およびアルコールセンサが接続された制御回路とからなり、前記制御回路は、前記接触検出電極間の抵抗値が既定抵抗値の範囲内である時に前記掌が前記汗蒸気導入口に接触していると判断し、この状態で、前記ポンプで吸引した前記汗蒸気に対する前記アルコールセンサの出力が飲酒規制値以上であれば、運転者が飲酒していると判断するようにしたものである。
【発明の効果】
【００１０】
本発明によれば、汗蒸気導入口に掌が接触していることを接触検出電極で検出した時のみポンプを駆動することにより、掌の汗を積極的に気化させてアルコール検出部に導入することができるので、高速に、かつ高精度に汗蒸気中のアルコール濃度検出が可能な飲酒検出装置を実現できる。
【発明を実施するための最良の形態】
【００１１】
以下、本発明を実施するための最良の形態について図面を参照しながら説明する。
【００１２】
（実施の形態１）
図１は本発明の実施の形態１における飲酒検出装置の概略断面図である。図２は本発明の実施の形態１における飲酒検出装置のアルコール検出部の接触検出電極の形状平面図であり、（ａ）は渦巻き型の接触検出電極の平面図を、（ｂ）は櫛型の接触検出電極の平面図を、（ｃ）は星型の接触検出電極の平面図を、それぞれ示す。図３は本発明の実施の形態１における飲酒検出装置のブロック回路図である。図４は本発明の実施の形態１における飲酒検出装置の動作を示すフローチャートである。図５は本発明の実施の形態１における飲酒検出装置の他の構成の概略断面図である。
【００１３】
図１において、アルコール検出部１１はハンドル１３に内蔵された構成としている。アルコール検出部１１は図１に示すようにハンドル１３の２ヶ所に配置している。アルコール検出部１１の詳細構成は次の通りである。アルコール検出部１１は、ハンドル１３の一部をくりぬいた空間に形成され、ハンドル１３の外周に沿って設けた、掌の汗蒸気を取り込む汗蒸気導入口１５と、汗蒸気導入口１５の表面部分に配した透湿膜１７と、汗蒸気導入口１５の奥部、すなわちハンドル１３の内部に設けた第１アルコールセンサ１９、および第２アルコールセンサ２０とから構成される。ここで、アルコール検出部１１はハンドル１３に２ヶ所設けているので、アルコールセンサは２個必要となる。そこで、これらを区別するために、図１の左側のアルコールセンサを第１アルコールセンサ１９、右側のアルコールセンサを第２アルコールセンサ２０と呼ぶ。
【００１４】
透湿膜１７は汗蒸気導入口１５の全体を覆うように図１のドットで示した領域に配されており、掌からの汗蒸気のみを通し、液体の汗を通さない役割を有する。これにより、第１アルコールセンサ１９や第２アルコールセンサ２０が濡れることによりアルコール濃度が検出できなくなる不具合を低減している。このような透湿膜１７として例えば延伸多孔質フッ素系樹脂を用いることができる。なお、透湿膜１７はハンドル１３の太さに対してきわめて薄いものであるが、図１ではわかりやすくするために実際よりも厚く示している。また、透湿膜１７の全体を支持するための梁状部材も透湿膜１７に接するように配置されているが、図示すると見にくくなるので、図１では省略している。
【００１５】
透湿膜１７の表面には一対の接触検出電極（詳細構成は後述する）が設けられている。接触検出電極は汗蒸気導入口１５が掌に接触しているか否かを検出するためのもので、一対の接触検出電極間の抵抗値、すなわち掌の皮膚の抵抗値を検出することにより接触を判断している。ここで、透湿膜１７は前記の通り樹脂製であるので電気絶縁性を有する。従って、一対の接触検出電極は互いに接触しないように透湿膜１７の表面に直接固着されている。なお、透湿膜１７が電気導電性を有する場合は、透湿膜１７と接触検出電極の間に絶縁層を介在させて固着すればよい。
【００１６】
図２に一対の接触検出電極の詳細構成を示す。なお、図２の接触検出電極は図１の矢印方向（左のアルコール検出部１１側）から見た時の平面図である。接触検出電極はアルコール検出部１１が２ヶ所にあるため、左右それぞれに設けられている。ここでは、両者を区別するために、左側のアルコール検出部１１における透湿膜１７に設けられた接触検出電極を第１接触検出電極２１、同じく右側のものを第２接触検出電極２２と呼ぶ。従って、図２の接触検出電極は左側のものであるので第１接触検出電極２１となるが、第１接触検出電極２１と第２接触検出電極２２は全く同じ構造である。以下、第１接触検出電極２１を代表として説明する。
【００１７】
第１接触検出電極２１は互いに入り組んだ形状（例えば図２（ａ）に示すように渦巻き型）としている。これにより、飲酒検出されないようにするために故意に第１接触検出電極２１を避けつつ透湿膜１７を非透湿性のフィルム等で覆うような不正を行おうとしても、第１接触検出電極２１が互いに入り組んだ形状をしているので、前記不正が極めて困難になる。また、汗蒸気導入口１５の全体を非透湿性のフィルム等で覆う不正を行った場合は、第１接触検出電極２１による皮膚抵抗値の検出が常にできなくなることにより、前記不正を判断できる。なお、この構成上の特徴は第２接触検出電極２２においても同じである。
【００１８】
なお、一対の第１接触検出電極２１の形状は図２（ａ）の渦巻き型以外にも、図２（ｂ）に示すように互いに入り込んだ櫛型の形状としたり、図２（ｃ）に示すように互いに入り込んだ星型の形状とするように、第１接触検出電極２１を避けつつ透湿膜１７を非透湿性のフィルム等で覆うことが困難な形状であればよい。
【００１９】
ここで図１に戻り、２ヶ所の汗蒸気導入口１５の奥部には第１アルコールセンサ１９、および第２アルコールセンサ２０がそれぞれ設けられている。これにより、汗蒸気導入口１５から透湿膜１７を介して導入された汗蒸気は第１アルコールセンサ１９や第２アルコールセンサ２０に至るので、汗蒸気に含まれるアルコール濃度を検出することができる。
【００２０】
第１アルコールセンサ１９、および第２アルコールセンサ２０は、例えばシリコンをマイクロマシン技術により加工して作製したマイクロヒータ上に、薄膜の半導体素子を設けた構成からなる。半導体素子はアルコールを検出するために一般的に用いられる酸化スズ等の薄膜からなり、マイクロヒータによりアルコール検出に適した温度（半導体素子の材料に依存するが、数１００℃程度）に加熱された状態でアルコール濃度を検出している。但し、このような高温状態に半導体素子を維持するには多くの電力を消費するので、マイクロヒータ上に半導体素子を設ける構成としている。これにより、第１アルコールセンサ１９、および第２アルコールセンサ２０の熱容量が極めて小さくなるので、低電流（例えば数ｍＡ）で短時間（例えば０．１秒以下）に設定温度まで昇温することができる。
【００２１】
また、アルコール濃度の検出は常時行う必要はなく、第１接触検出電極２１や第２接触検出電極２２により汗蒸気導入口１７に掌が接触していない状態から接触したと検出された時に行えばよいので、前記マイクロヒータにパルス電流を流すことによりアルコール濃度を検出するようにしている。すなわち、例えば７ｍＡの電流を０．２秒流すだけで昇温が完了し、アルコール濃度を検出することができるので、第１アルコールセンサ１９、および第２アルコールセンサ２０の消費電力を低減できる。このパルス電流による検出を複数回繰り返して出力平均値を求めることでアルコール濃度の検出精度を向上している。この際、例えば第１接触検出電極２１が掌の接触を検出した時は第１アルコールセンサ１９を、第２接触検出電極２２が掌の接触を検出した時は第２アルコールセンサ２０を、両方の接触検出電極が掌の接触を検出した時は両方のアルコールセンサを、それぞれ動作させて検出するようにしてもよい。
【００２２】
なお、第１アルコールセンサ１９、および第２アルコールセンサ２０の高速昇温特性を活かし、アルコール濃度を検出する前にも前記パルス電流を流すようにしている。これにより、半導体素子の表面に付着した水分等の不純物を加熱により除去し、半導体素子の表面が清浄な状態でアルコール濃度を検出することができるので、さらに高精度化が図れる。
【００２３】
これら第１アルコールセンサ１９、および第２アルコールセンサ２０に対するパルス電流の制御は、全て後述する制御回路によって行われる。
【００２４】
なお、第１アルコールセンサ１９、および第２アルコールセンサ２０には前記半導体素子を複数個有する構成としてもよい。これは、マイクロヒータがマイクロマシン技術により極めて小さく作製されているので、これを活かし、１つのアルコールセンサに複数個のマイクロヒータを一括して作製し、それぞれに薄膜半導体素子を形成すればよい。このように複数個の半導体素子があれば、ある１つの半導体素子が劣化や断線等の故障を起こした時、他の正常な半導体素子に切り替えることで、アルコールセンサの寿命を延ばすことができる。さらに、前記制御回路により、アルコール濃度の検出毎に複数の半導体素子を順次切り替えるようにしてもよい。この場合は、複数個の半導体素子の劣化度合いが平均化される上に、１個当たりの使用頻度が減るので寿命が延びる。従って、個々の半導体素子の出力バラツキを抑制しつつアルコールセンサの長寿命化が図れる。
【００２５】
汗蒸気導入口１５が配されたアルコール検出部１１には、それぞれハンドル１３に内蔵された汗蒸気吸引管２３を介してポンプ２５の吸気側が接続されている。従って、汗蒸気導入口１５に掌が接触していることを第１接触検出電極２１、または第２接触検出電極２２が検出すると、ポンプ２５を動作させることにより、掌の汗蒸気を気化して積極的に第１アルコールセンサ１９、および第２アルコールセンサ２０に導入するようにしている。これにより、高速に汗蒸気中のアルコール濃度を検出することが可能となる。
【００２６】
なお、汗蒸気導入口１５とポンプ２５の間には圧力センサ２７が設けられている。これにより、ポンプ２５の動作中における圧力センサ２７の圧力出力が既定圧力以下であれば、透湿膜１７が閉塞していることを検出でき、アルコール濃度を正常に測定できない状態であることがわかる。
【００２７】
次に、飲酒検出装置の回路構成について、図３を用いて説明する。
【００２８】
まず、第１アルコールセンサ１９、第２アルコールセンサ２０、第１接触検出電極２１、第２接触検出電極２２、ポンプ２５、および圧力センサ２７は制御回路２９に接続されている。制御回路２９はマイクロコンピュータと周辺回路から構成され、飲酒検出装置の全体制御を司る。なお、制御回路２９には第１接触検出電極２１間、および第２接触検出電極２２間の抵抗値Ｒｓ１、Ｒｓ２と、第１アルコールセンサ１９、および第２アルコールセンサ２０の出力Ｃｅ１、Ｃｅ２と、圧力センサ２７の出力Ｐが入力される。また、ポンプ２５は制御回路２９からのポンプ駆動信号Ｐｃ（ポンプ２５の駆動電力を含む）により動作が制御される。
【００２９】
さらに、制御回路２９は車両側制御回路と飲酒検出結果や開錠、施錠状態等の様々な情報を交信している。交信されるデータはデータ信号ｄａｔａにより制御回路２９に入出力される。
【００３０】
次に、飲酒検出装置の動作について、図４のフローチャートを用いて説明する。なお、このフローチャートはメインルーチン（図示せず）から例えば一定時間毎（例えば１分毎）に実行されるサブルーチンである。
【００３１】
メインルーチンが図４のサブルーチンを実行すると、まず制御回路２９は第１接触検出電極２１と第２接触検出電極２２の電極間の抵抗値Ｒｓ１、Ｒｓ２を読み込む（ステップ番号Ｓ１１）。次に、制御回路２９はまず第１接触検出電極２１間の抵抗値Ｒｓ１が既定範囲内にあるか否かを判断する（Ｓ１３）。ここで、抵抗値Ｒｓ１の既定範囲内とは、皮膚抵抗値の取り得る範囲のことであり、本実施の形態１では２ｋΩ〜５ｋΩの範囲とした。但し、この既定範囲は第１接触検出電極２１の大きさや間隔、形状等によって変化するので、あらかじめ第１接触検出電極２１に対応した皮膚抵抗値の範囲を決定し、制御回路２９のメモリに記憶しておく。
【００３２】
もし、抵抗値Ｒｓ１が既定範囲内であれば（Ｓ１３のＹｅｓ）、第１接触検出電極２１に左手が接触していると判断されるので、次に右手も第２接触検出電極２２に接触しているか否かを判断する。具体的には、第２接触検出電極２２の抵抗値Ｒｓ２が既定範囲内にあるか否かを判断する（Ｓ１５）。ここで、抵抗値Ｒｓ２の既定範囲は抵抗値Ｒｓ１の既定範囲と同じである。
【００３３】
もし、抵抗値Ｒｓ２が既定範囲内であれば（Ｓ１５のＹｅｓ）、第２接触検出電極２２に右手が接触していると判断されるので、この場合、両手がそれぞれ同時に第１接触検出電極２１と第２接触検出電極２２に接触していることになる。そこで、両手が接触していることを示すため、接触フラグＳＦに３を代入する（Ｓ１７）。なお、接触フラグＳＦは制御回路２９に内蔵されたメモリであり、ＳＦが１の時は左手が、２の時は右手が、３の時は両手が、それぞれ接触していることを示すフラグである。Ｓ１７の後は、後述するＳ２５にジャンプする。
【００３４】
一方、抵抗値Ｒｓ２が既定範囲内になければ（Ｓ１５のＮｏ）、右手は第２接触検出電極２２に接触していないと判断されるので、左手だけが接触していることになる。従って、接触フラグＳＦに１を代入して（Ｓ１９）、後述するＳ２５にジャンプする。
【００３５】
ここでＳ１３に戻り、抵抗値Ｒｓ１が既定範囲内でなければ（Ｓ１３のＮｏ）、第１接触検出電極２１に左手が接触していないと判断されるので、次に右手の接触を判断する。具体的にはＳ１５と同様に、第２接触検出電極２２の抵抗値Ｒｓ２が既定範囲内にあるか否かを判断する（Ｓ２１）。もし、抵抗値Ｒｓ２が既定範囲内でなければ（Ｓ２１のＮｏ）、両手とも第１接触検出電極２１と第２接触検出電極２２に接触していないことになる。これは、ハンドル１３を大きく切っている動作や、ハンドル１３以外のシフトレバー等を操作している場合が想定される。このように、両手が第１接触検出電極２１と第２接触検出電極２２に接触していなければ飲酒判断を行うことができないので、そのまま図４のサブルーチンを終了してメインルーチンに戻る。
【００３６】
一方、抵抗値Ｒｓ２が既定範囲内であれば（Ｓ２１のＹｅｓ）、右手だけが第２接触検出電極２２に接触していることになるので、接触フラグＳＦに２を代入する（Ｓ２３）。
【００３７】
次に、制御回路２９はポンプ２５を駆動し（Ｓ２５）、汗蒸気導入口１５近傍の空気を吸引する。なお、ポンプ２５の駆動電力は制御回路２９を介して供給される。その後、既定吸引時間が経過したか否かを判断する（Ｓ２７）。ここで、既定吸引時間は２ヶ所のアルコール検出部１１の空気を全て置換するために必要なポンプ２５の駆動時間である。もし、既定吸引時間が経過していなければ（Ｓ２７のＮｏ）、Ｓ２７に戻って既定吸引時間が経過するまで待つ。既定吸引時間が経過すれば（Ｓ２７のＹｅｓ）、ポンプ２７を停止すると同時に圧力センサ２７の出力（圧力出力Ｐ）を読み込む（Ｓ２９）。その後、圧力出力Ｐが既定圧力以下であるか否かを判断する（Ｓ３１）。ここで、既定圧力は絶対圧力で０．５気圧とした。これにより、もし不正に汗蒸気導入口１５を閉塞してアルコール検出を免れようとすると、汗蒸気導入口１５とポンプ２５の間に配置した圧力センサ２７の圧力出力Ｐが既定圧力以下に小さくなる。従って、圧力出力Ｐを監視することにより前記不正を判断することができる。
【００３８】
もし、圧力出力Ｐが既定圧力以下であれば（Ｓ３１のＹｅｓ）、汗蒸気導入口１５を閉塞する等の不正が行われている可能性があるため、圧力異常をアラームで警告し（Ｓ３３）、図４のサブルーチンを終了する。
【００３９】
一方、圧力出力Ｐが既定圧力より大きければ（Ｓ３１のＮｏ）、正常に掌近傍の汗蒸気をアルコール検出部１１に導入できたので、次に制御回路３９は接触フラグＳＦが１であるか否かを判断する（Ｓ３５）。もし、ＳＦが１であれば（Ｓ３５のＹｅｓ）、左手のみが第１接触検出電極２１に接触していることになるので、後述するＳ４１へジャンプする。一方、ＳＦが１でなければ（Ｓ３５のＮｏ）、少なくとも右手は第２接触検出電極２２に接触していることになるので、制御回路２９は第２アルコールセンサ２０の出力Ｃｅ２を読み込む（Ｓ３７）。その後、両手が第１接触検出電極２１と第２接触検出電極２２に接触しているかを判断するために、接触フラグＳＦが２であるか否かを判断する（Ｓ３９）。もし、ＳＦが２であれば（Ｓ３９のＹｅｓ）、右手のみが第２接触検出電極２２に接触しているので、後述するＳ４３にジャンプする。一方、ＳＦが２でなければ（Ｓ３９のＮｏ）、ＳＦは３となるので、両手が第１接触検出電極２１と第２接触検出電極２２に接触していることになる。そこで、第２アルコールセンサ２０の出力Ｃｅ２は既にＳ３７で読み込んだので、次に第１アルコールセンサ１９の出力Ｃｅ１を読み込む（Ｓ４１）。このような動作とすることにより、左手のみ接触している時は（ＳＦ＝１）、第１アルコールセンサ１９の出力Ｃｅ１を、右手のみ接触している時は（ＳＦ＝２）、第２アルコールセンサ２０の出力Ｃｅ２を、両手が接触している時は（ＳＦ＝３）、出力Ｃｅ１とＣｅ２の両方を、それぞれ制御回路２９が読み込んでいる。
【００４０】
その後、出力Ｃｅ１とＣｅ２のいずれかが飲酒規制値以上であるか否かを判断する（Ｓ４３）。なお、飲酒規制値は飲酒運転取締り時の酒気帯び判定用呼気中アルコール濃度（２００７年時点で呼気１リットル当たり０．１５ｍｇ）に相当する汗蒸気中のアルコール濃度としている。飲酒規制値は酒気帯び判定濃度に相当する値としてあらかじめ求めておき、制御回路２９のメモリに記憶しておく。
【００４１】
もし、出力Ｃｅ１とＣｅ２のいずれかが飲酒規制値以上でなければ（Ｓ４３のＮｏ）、飲酒していないと判断できるので、図４のサブルーチンを終了し、メインルーチンに戻る。一方、出力Ｃｅ１とＣｅ２のいずれかが飲酒規制値以上であれば（Ｓ４３のＹｅｓ）、飲酒していると判断できる。この場合、制御回路２９は運転者への飲酒警告信号を車両用制御回路に送信する（Ｓ４５）。これを受け、車両用制御回路は運転者に対して車両のメータ内等に前記警告を表示する。
【００４２】
その後、飲酒状態での運転継続は危険であるので、制御回路２９は車両制御信号を車両用制御回路に送信する（Ｓ４７）。これを受け、車両用制御回路は例えば車両を強制的に減速したり一定以上の速度が出ないように制御して、運転者に対し車両を安全に停止する動作を促す。あるいは、車両起動時であればエンジン始動を禁止する。その後、図４のサブルーチンを終了し、メインルーチンに戻る。
【００４３】
この動作をまとめると、制御回路２９は、少なくとも第１接触検出電極２１間の抵抗値Ｒｓ１、または第２接触検出電極２２間の抵抗値Ｒｓ２が既定抵抗値の範囲内である時に掌が汗蒸気導入口１５に接触していると判断し、この状態で、ポンプ２５で吸引した汗蒸気に対する第１アルコールセンサ１９の出力Ｃｅ１、または第２アルコールセンサ２０の出力Ｃｅ２が飲酒規制値以上であれば、運転者が飲酒していると判断するということになる。
【００４４】
なお、図４のフローチャートには記載していないが、制御回路２９は、車両の開錠、または施錠の少なくともいずれかが行われた時にポンプ２５を動作させ、その時の第１アルコールセンサ１９の出力Ｃｅ１と第２アルコールセンサ２０の出力Ｃｅ２をアルコール非検出値とするようにしている。これにより、第１アルコールセンサ１９と第２アルコールセンサ２０の０点出力を車両使用の都度、補正することができるので、高精度な飲酒判断が可能となる。
【００４５】
以上の構成、動作により、汗蒸気導入口１５に掌が接触していることを接触検出電極で検出した時のみポンプ２５を駆動することにより、掌の汗を積極的に気化させてアルコール検出部１１に導入することができるので、高速に汗蒸気中のアルコール濃度検出が可能な高精度飲酒検出装置を実現できる。
【００４６】
なお、本実施の形態１では、第１アルコールセンサ１９や第２アルコールセンサ２０をマイクロヒータ上に設けた薄膜の半導体素子からなる構成としたが、これに限定されるものではなく、例えば接触燃焼式のアルコールセンサでもよい。これは、マイクロヒータ上に触媒を設けた構成で、触媒をアルコール検出に適した温度に加熱してアルコールを燃焼させることによる温度変化を検出する原理のものである。これによっても小型で低消費電力のアルコールセンサが得られる。
【００４７】
また、本実施の形態１では第１アルコールセンサ１９と第２アルコールセンサ２０の２個を用いているが、これは１個のアルコールセンサをポンプ２５の排気側に設ける構成としてもよい。この場合、アルコールセンサが１個しかないので、アルコールセンサのバラツキ誤差がなく、より高精度化が図れる。但し、アルコール検出部１１にそれぞれアルコールセンサを配した構成に比べ、汗蒸気がアルコールセンサに至るまでに時間がかかるので、ポンプ２５の吸引能力を上げる等の対応が必要となる。
【００４８】
また、本実施の形態１では、アルコール検出部１１をハンドル１３の２ヶ所に設けたが、これは少なくとも１ヶ所にあればよい。但し、この場合は掌が汗蒸気導入口１５に接触する確率が小さくなり、運転中の飲酒に対するタイムリーな判断ができなくなる可能性がある。そこで、図５に示すように、例えばハンドル１３の全体に複数（図５では１９ヶ所）のアルコール検出部１１を設ける構成がより望ましい。具体的には、ハンドル１３に汗蒸気導入口１５を複数設けるとともに、隣り合う汗蒸気導入口１５の間でハンドル１３の内部に隔壁３０を設け、複数の汗蒸気導入口１５のそれぞれの奥部にアルコールセンサ３１を設け、複数の汗蒸気導入口１５のそれぞれにポンプ２５の吸気側を接続した構成とする。これにより、掌がハンドル１３のどこを握っても、いずれかの汗蒸気導入口１５に接触するので、常に汗蒸気中のアルコール濃度を検出することができる。なお、図５の構成ではアルコールセンサも１９個配置されるので、制御回路２９は接触検出電極間の抵抗値が既定抵抗値の範囲内にある汗蒸気導入口１５の奥部に設けたアルコールセンサ３１の出力のみを飲酒判断に用いればよい。
【００４９】
また、図５の構成ではアルコールセンサ３１が多数あるため、出力のバラツキが大きくなり飲酒判断精度が低下する可能性がある。そこで、より高精度に飲酒判断を行うために、複数の汗蒸気導入口１５のそれぞれに複数のポンプ２５を接続し、複数のポンプ２５の排気側の集約部分にアルコールセンサ３１を１個だけ設けた構成としてもよい。この場合、制御回路２９は接触検出電極間の抵抗値が既定抵抗値の範囲内にある汗蒸気導入口１５に接続されたポンプ２５のみを動作させることで、汗蒸気が希釈されることがなくなり、高精度飲酒判断が可能となる。
【００５０】
（実施の形態２）
図６は本発明の実施の形態２における飲酒検出装置の概略断面図である。図７は本発明の実施の形態２における飲酒検出装置のブロック回路図である。図８は本発明の実施の形態２における飲酒検出装置の動作を示すフローチャートである。なお、本実施の形態２の飲酒検出装置の構成において、実施の形態１と同じ構成には同じ番号を付して詳細な説明を省略する。
【００５１】
すなわち、図６において、本実施の形態２の特徴となる構成は、アルコールセンサが、ハンドル１３に内蔵された赤外線光源５１と赤外線センサ５３からなる点である。具体的には、赤外線光源５１から発生した赤外線が、図６の点線で示すように、ハンドル１３の円周方向に沿って内蔵した光路５５内で反射を繰り返し、赤外線センサ５３に至るように赤外線光源５１と赤外線センサ５３を配置している。また、光路５５を含むハンドル１３の表面には汗蒸気導入口１５を設けるとともに、ポンプ２５は光路５５に汗蒸気吸引管２３で接続された構成を有する。なお、本実施の形態２では、図６に示すように汗蒸気導入口１５をハンドル１３の左右２ヶ所に設け、２つの汗蒸気導入口１５の一方の奥部（図６では左側）に赤外線光源５１を、他方の奥部（図６では右側）に赤外線センサ５３を配置している。
【００５２】
ここで、本実施の形態２で特徴となる上記各構成要素の詳細について説明する。
【００５３】
赤外線光源５１は単純にはヒータで構成すればよいが、本実施の形態２では赤外線センサ５３に焦電素子を用いたので、赤外線を焦電素子にパルス的に照射する必要がある。そこで、赤外線光源５１はオンオフ信号によってパルス赤外光を発生するフィラメントから構成されるものとした。
【００５４】
赤外線センサ５３には上記したようにパルス赤外光が照射されるが、全ての赤外波長を照射するとアルコール成分（炭化水素）を検出することが困難になる。そこで、炭化水素に反応する赤外波長を選択的に通すフィルタが焦電素子の上部に配される構造としている。
【００５５】
赤外線光源５１と赤外線センサ５３の間に配される光路５５はハンドル１３の一部を円筒状にして形成されている。この光路５５の表面は、赤外線を効率よく反射するように金メッキ処理が施されている。このような構成とすることにより、赤外線光源５１から発せられた赤外線は、図６の点線で示すように光路５５の表面で反射を繰り返し、赤外線センサ５３に到達する。その結果、赤外線光源５１から赤外線センサ５３までの光路長が長くなり、赤外線センサ５３の出力感度が上昇し高精度化が図れる。
【００５６】
また、２ヶ所の汗蒸気導入口１５に設けられた透湿膜１７の表面には、図２（ａ）〜（ｃ）のいずれかに示したものと同じ形状の第１接触検出電極２１、および第２接触検出電極２２がそれぞれ形成されている。従って、制御回路２９は、第１接触検出電極２１と第２接触検出電極２２の少なくともいずれかが既定抵抗値の範囲にあればポンプ２５を動作させている。これにより、光路５５の全体に汗蒸気を積極的に導入することができ、その汗蒸気の中を赤外線が通る構成となる。
【００５７】
以上の構成とすることにより、汗蒸気の中からアルコール成分を選択して高精度に検出することができる。なお、上記以外の構成は実施の形態１と同じである。
【００５８】
次に、本実施の形態２のブロック回路図を図７により説明する。なお、図７において図３と同じ構成には同じ番号を付して詳細な説明を省略する。
【００５９】
すなわち、図７における特徴となる構成は、実施の形態１の第１アルコールセンサ１９と第２アルコールセンサ２０を廃し、赤外線光源５１と赤外線センサ５３を接続した点である。これにより、制御回路２９は赤外線光源５１に対しパルス駆動電流ＩＲＰを供給するとともに、赤外線センサ５３の出力Ｃｅを読み込む構成となる。なお、上記以外の回路上の構成は実施の形態１と同じである。
【００６０】
次に、本実施の形態２の動作について図８を用いて説明する。なお、図８において図４と同じ動作については同じステップ番号を付して詳細な説明を省略する。
【００６１】
まず、図８においてＳ１１からＳ３３は実施の形態１と同じ動作である。Ｓ３１でＮｏの場合は、制御回路２９が赤外線光源５１に対しパルス駆動電流ＩＲＰを供給して一定時間の間、パルス赤外光を発生させるとともに、その時の赤外線センサ５３の出力Ｃｅを読み込む（Ｓ５１）。その後、接触フラグＳＦが３であるか否かを判断する（Ｓ５３）。もし、ＳＦが３でなければ（Ｓ５３のＮｏ）、後述するＳ５７にジャンプする。一方、ＳＦが３であれば（Ｓ５３のＹｅｓ）、両手が２ヶ所の汗蒸気導入口１５に触れていることになるので、光路５５には両手の汗蒸気が導入されることになる。ここで、片手のみが２ヶ所の汗蒸気導入口１５のいずれかに触れている場合は、手が触れていない汗蒸気導入口１５からは空気が導入されることになるので、導入された汗蒸気中に含まれるアルコール濃度は実際の約半分に薄められることになる。本実施の形態２では両手が２ヶ所の汗蒸気導入口１５に触れる場合に比べ確率的に高いと想定される片手のみの汗蒸気中のアルコール濃度を基準として飲酒判断を行うようにしているので、両手が２ヶ所の汗蒸気導入口１５に触れているＳＦ＝３の場合には、基準濃度に対して２倍のアルコール濃度となっている。ゆえに、この時の赤外線センサ５３の出力Ｃｅを半分にしてＣｅの値を更新している（Ｓ５５）。
【００６２】
次に、制御回路２９は赤外線センサ５３の出力Ｃｅと飲酒規制値を比較する（Ｓ５７）。なお、飲酒規制値は実施の形態１と同じ値である。もし、出力Ｃｅが飲酒規制値未満であれば（Ｓ５７のＮｏ）、運転者は飲酒をしていないと判断されるので、そのまま図８のサブルーチンを終了し、メインルーチンに戻る。一方、出力Ｃｅが飲酒規制値以上であれば（Ｓ５７のＹｅｓ）、飲酒していると判断できるので、実施の形態１と同様に、制御回路２９は運転者への飲酒警告信号を車両用制御回路に送信する（Ｓ５９）とともに、車両制御信号を車両用制御回路に送信する（Ｓ６１）。これを受け、車両用制御回路は運転者への警告と車両の強制制御を行う。その後、図８のサブルーチンを終了し、メインルーチンに戻る。
【００６３】
このような動作によっても運転者の飲酒を判断することができる上に、実施の形態１の構成と比べてアルコール濃度を検出する赤外線センサ５３、およびポンプ２５がそれぞれ１つでよく、実施の形態１のように複数のアルコールセンサや複数のポンプを設ける必要がない。従って、簡単な構成で、複数のアルコールセンサのバラツキがなく高精度化が図れ、赤外線によるさらに高速な飲酒判断が可能な飲酒検出装置が得られる。
【００６４】
なお、本実施の形態２においても実施の形態１と同様に、車両の開錠、または施錠の少なくともいずれかが行われた時にポンプ２５と赤外線光源５１を動作させ、その時の赤外線センサ５３の出力Ｃｅをアルコール非検出値とするようにしている。
【００６５】
以上の構成、動作により、汗蒸気導入口１５に掌が接触していることを接触検出電極で検出した時のみポンプ２５と赤外線光源５１を駆動することにより、掌の汗を積極的に気化させてアルコール検出部１１に導入することができる上に、赤外線センサ５３による高応答性が得られるので、より高速に汗蒸気中のアルコール濃度検出が可能な高精度飲酒検出装置を実現できる。さらに、必要な時のみに消費電力の大きいポンプ２５と赤外線光源５１を駆動するので低消費電力化が図れるという効果も得られる。
【００６６】
なお、本実施の形態２では、汗蒸気導入口１５をハンドル１３の左右２ヶ所としたが、これは光路５５を含むハンドル１３の表面上であれば何ヶ所に設けてもよい。但し、１ヶ所のみとすると掌が汗蒸気導入口１５に触れる確率が低下し、多数ヶ所にすると掌が接触していない汗蒸気導入口１５からも空気が導入され汗蒸気が薄まるので、本実施の形態２で述べたハンドル１３の左右２ヶ所の汗蒸気導入口１５を設ける構成が望ましい。
【００６７】
また、実施の形態１、２では汗蒸気中のアルコール濃度から飲酒判断を行っているが、これに運転者の疲労度を加味して判断するようにしてもよい。具体的には、例えば運転席のダッシュボードに運転者の視線検出手段を設けるとともに、視線検出手段を制御回路２９に接続する構成とし、制御回路２９は視線検出手段より視線移動特性を検出し、視線移動特性から運転者の疲労度を計算する。もし、疲労度が既定値以上であり、かつアルコールセンサの出力が飲酒規制値以上であれば、運転者が強度の飲酒状態であると判断して、飲酒の警告を激しくしたり車両を強制的に停車させる等の動作を行うようにすればよい。なお、疲労度は例えば（数１）で表されるリアプノフ指数λを計算することで求めることができる。
【００６８】
【数１】
0004788671.tif 000002
【００６９】
よって、リアプノフ指数λは（数１）より視線移動特性をｆ（ｘi）とすることにより、その変化量（微分値）の大きさを対数計算して平均化した時の極値を求めることになる。得られたリアプノフ指数λが既定値以上に高くなれば疲労していると判断できる。
【００７０】
また、前記視線検出手段に替わって、運転席に重量センサを設け、制御回路２９は重量センサより重量変化特性を検出し、重量変化特性から疲労度を計算するようにしてもよい。具体的には例えば運転席の四隅に重量センサをそれぞれ設け、それぞれの重量変化特性から運転者の重心移動を求め、そのリアプノフ指数λを計算することで疲労度が求められる。このような構成とすることで、スマートエアバッグ用の運転席重量センサを利用できるので、スマートエアバッグが搭載されている車両では重量センサの追加なしで疲労度を含めた飲酒判断が可能となる。
【００７１】
また、上記した視線検出手段や重量センサから得られた疲労度が既定値以上であれば、飲酒していなくても運転者に疲労状態にあることを警告し、休息を促す等の動作を行ってもよい。
【００７２】
また、実施の形態１、２で述べた飲酒検出装置は、主に自動車用として説明したが、これは鉄道車両や航空機、船舶、建設機械、プラント操作部のように、飲酒により甚大な影響を及ぼす分野に適用してもよい。
【産業上の利用可能性】
【００７３】
本発明にかかる飲酒検出装置は、運転者が飲酒していることを高精度に判断できるので、特に飲酒検出管理が厳格になされておらず、かつ運転者数が多い自家用車の飲酒検出装置等として有用である。
【図面の簡単な説明】
【００７４】
【図１】本発明の実施の形態１における飲酒検出装置の概略断面図
【図２】本発明の実施の形態１における飲酒検出装置のアルコール検出部の接触検出電極の形状平面図であり、（ａ）は渦巻き型の接触検出電極の平面図、（ｂ）は櫛型の接触検出電極の平面図、（ｃ）は星型の接触検出電極の平面図
【図３】本発明の実施の形態１における飲酒検出装置のアルコール検出部のブロック回路図
【図４】本発明の実施の形態１における飲酒検出装置の動作を示すフローチャート
【図５】本発明の実施の形態１における飲酒検出装置の他の構成の概略断面図
【図６】本発明の実施の形態２における飲酒検出装置の概略断面図
【図７】本発明の実施の形態２における飲酒検出装置のブロック回路図
【図８】本発明の実施の形態２における飲酒検出装置の動作を示すフローチャート
【図９】従来の飲酒検出装置の概略構成図
【符号の説明】
【００７５】
１１  アルコール検出部
１３  ハンドル
１５  汗蒸気導入口
１７  透湿膜
１９  第１アルコールセンサ
２０  第２アルコールセンサ
２１  第１接触検出電極
２２  第２接触検出電極
２５  ポンプ
２７  圧力センサ
２９  制御回路
３０  隔壁
３１  アルコールセンサ
５１  赤外線光源
５３  赤外線センサ
５５  光路
【図１】
0004788671.tif 000003
【図２】
0004788671.tif 000004
【図３】
0004788671.tif 000005
【図４】
0004788671.tif 000006
【図５】
0004788671.tif 000007
【図６】
0004788671.tif 000008
【図７】
0004788671.tif 000009
【図８】
0004788671.tif 000010
【図９】
0004788671.tif 000011